(57)【特許請求の範囲】
【請求項１】
方法であって、
第１のプライマリスクランブリング符号によってスクランブリングされた第１のＰＳＣチャネルセットを推定する（６１０）こと；
前記推定された第１のＰＳＣチャネルセットを受信信号から除去する（６２０）こと；
第１のセカンダリスクランブリング符号によってスクランブリングされた第１のＳＳＣチャネルセットを推定する（６３０）こと、なお、前記第１のＳＳＣチャネルセットは前記第１のＰＳＣチャネルセットに対して非直交であり、前記ＰＳＣおよびＳＳＣチャネルセットは単一の局から送信される；および
前記推定された第１のＳＳＣチャネルセットを除去する（６４０）こと；
を備え、
前記第１のＳＳＣチャネルセットを推定することは、前記推定された第１のＰＳＣチャネルセットが前記受信信号から除去された後に、前記受信信号から前記第１のＳＳＣチャネルセットを推定することを備え、
前記第１のＳＳＣチャネルセットを推定することは、前記第１のセカンダリスクランブリング符号によってスクランブリングされた、送信パワーを用いることなく送信された前記第１のＳＳＣチャネルセットのノイズパワーを推定することを備え、 
前記方法は、前記第１のＰＳＣチャネルセットを推定すること、前記推定された第１のＰＳＣチャネルセットを除去すること、前記第１のＳＳＣチャネルセットを推定すること、および前記推定された第１のＳＳＣチャネルセットを除去すること、を通して、複数回反復する（２８０．１、２８０．２、２８０．３、２８０．４）こと、を更に備える、
方法。
【請求項２】
前記第１のＰＳＣチャネルセットは、パイロットチャネルおよび専用チャネルを備える、請求項１に記載の方法。
【請求項３】
前記推定された第１のＳＳＣチャネルセットを除去することは、前記推定された第１のＳＳＣチャネルセットを、前記推定された第１のＰＳＣチャネルセットを前記受信信号から除去することの結果から、除去することを備える、請求項１に記載の方法。
【請求項４】
前記推定された第１のＳＳＣチャネルセットを除去することは、前記推定された第１のＰＳＣチャネルセットが前記受信信号から除去された後に、前記推定された第１のＳＳＣチャネルセットを前記受信信号から除去することを備える、請求項１に記載の方法。
【請求項５】
第２のプライマリスクランブリング符号によってスクランブリングされた第２のＰＳＣチャネルセットを推定する（６５０）こと；
前記推定された第２のＰＳＣチャネルセットを除去する（６６０）こと；
第３のプライマリスクランブリング符号によってスクランブリングされた第３のＰＳＣチャネルセットを推定する（６７０）こと；および
前記推定された第３のＰＳＣチャネルセットを除去する（６８０）こと；
を更に備える請求項１に記載の方法。
【請求項６】
前記推定された第１のＰＳＣチャネルセットを除去することは、前記第２のＰＳＣチャネルセットを推定することの前に実行され、前記第２のＰＳＣチャネルセットを除去することは、前記第３のＰＳＣチャネルセットを推定することの前に実行される、請求項５に記載の方法。
【請求項７】
前記第１のＰＳＣチャネルセットは最も高い受信信号強度を有し、前記第２のＰＳＣチャネルセットは２番目に最も高い受信信号強度を有し、前記第３のＰＳＣチャネルセットは３番目に最も高い受信信号強度を有する、請求項６に記載の方法。
【請求項８】
前記第１のＰＳＣチャネルセットを除去することは、前記第１のＳＳＣチャネルセットを推定することの前に実行され、前記第１のＳＳＣチャネルセットを除去することは、前記第２のＰＳＣチャネルセットを推定する前に実行される、請求項５に記載の方法。
【請求項９】
第２のセカンダリスクランブリング符号によってスクランブリングされた第２のＳＳＣチャネルセットを推定する（４８１．２．１）こと；
前記推定された第２のＳＳＣチャネルセットを除去する（４８２．２．１）こと；
第３のセカンダリスクランブリング符号によってスクランブリングされた第３のＳＳＣチャネルセットを推定する（４８１．３．１）こと；および
前記推定された第３のＳＳＣチャネルセットを除去する（４８２．３．１）こと；
を更に備える請求項１に記載の方法。
【請求項１０】
前記第１のＳＳＣチャネルセットを推定することは、前記第１のセカンダリスクランブリング符号によってスクランブリングされたゼロパワーチャネルのノイズパワーを推定することを備える、請求項１に記載の方法。
【請求項１１】
前記第１のＳＳＣチャネルセットは、少なくとも１つの擬似直交関数を備える請求項１に記載の方法。
【請求項１２】
前記第１のＰＳＣチャネルセットを推定することは、前記ＰＳＣチャネルセットのうちの少なくとも１つのチャネルを逆拡散および逆スクランブリングすることを備える、請求項１に記載の方法。
【請求項１３】
装置であって、
第１のプライマリスクランブリング符号によってスクランブリングされた第１のＰＳＣチャネルセットを推定するように構成された第１のＰＳＣ推定ユニット（４８１．１）と；
前記推定された第１のＰＳＣチャネルを受信信号から除去するように構成された第１のＰＳＣ除去ユニット（４８２．１）と；
第１のセカンダリスクランブリング符号によってスクランブリングされた第１のＳＳＣチャネルセットを推定するように構成された第１のＳＳＣ推定ユニット（４８１．１．１）と、なお、前記第１のＳＳＣチャネルセットは前記第１のＰＳＣチャネルセットに対して非直交であり、前記第１のＰＳＣおよびＳＳＣチャネルセットは単一の局から送信される；および
前記推定された第１のＳＳＣチャネルセットを除去するように構成された第１のＳＳＣ除去ユニット（４８２．１．１）と；
を備え、
前記第１のＳＳＣ推定ユニットによって前記第１のＳＳＣチャネルセットを推定することは、前記推定された第１のＰＳＣチャネルセットが前記受信信号から前記第１のＰＳＣ除去ユニットによって除去された後に、前記受信信号から前記第１のＳＳＣチャネルセットを推定することを備え、
前記第１のＳＳＣ推定ユニットは、前記第１のセカンダリスクランブリング符号によってスクランブリングされた、送信パワーを用いることなく送信された前記第１のＳＳＣチャネルセットのノイズパワーを推定するように構成され、
前記装置は、前記第１のＰＳＣチャネルセットを推定すること、前記推定された第１のＰＳＣチャネルセットを除去すること、前記第１のＳＳＣチャネルセットを推定すること、および前記推定された第１のＳＳＣチャネルセットを除去すること、を通して、複数回反復する（２８０．１、２８０．２、２８０．３、２８０．４）ように構成される、
装置。
【請求項１４】
前記第１のＰＳＣチャネルセットは、パイロットチャネルおよび専用チャネルを備える、請求項１３に記載の装置。
【請求項１５】
前記第１のＳＳＣ除去ユニットは前記第１のＰＳＣ除去ユニットの出力に結合される、請求項１３に記載の装置。
【請求項１６】
第２のプライマリスクランブリング符号によってスクランブリングされた第２のＰＳＣチャネルセットを推定するように構成された第２のＰＳＣ推定ユニット（４８１．２）と；
前記推定された第１のＰＳＣおよびＳＳＣチャネルセットが前記受信信号から除去された後に、前記推定された第２のＰＳＣチャネルセットを前記受信信号から除去するように構成された第２のＰＳＣ除去ユニット（４８２．２）と；
第３のプライマリスクランブリング符号によってスクランブリングされた第３のＰＳＣチャネルセットを推定するように構成された第３のＰＳＣ推定ユニット（４８１．３）と；および
前記推定された第２のＰＳＣチャネルセットが前記受信信号から除去された後に、前記推定された第３のＰＳＣチャネルセットを前記受信信号から除去するように構成された第３のＰＳＣ除去ユニット（４８２．３）と；
を更に備える請求項１３に記載の装置。
【請求項１７】
前記第２のＰＳＣ推定ユニットは前記第１のＰＳＣ除去ユニットの出力に結合され、前記第３のＰＳＣ推定ユニットは前記第２のＰＳＣ除去ユニットの出力に結合される、請求項１６に記載の装置。
【請求項１８】
前記第１のＰＳＣチャネルセットは最も高い受信信号強度を有し、前記第２のＰＳＣチャネルセットは、２番目に最も高い受信信号強度を有し、前記第３のＰＳＣチャネルセットは、３番目に最も高い受信信号強度を有する、請求項１７に記載の装置。
【請求項１９】
前記第１のＳＳＣ除去ユニットは前記第１のＰＳＣ推定ユニットの出力に結合され、前記第２のＰＳＣ推定ユニットは前記第１のＳＳＣ除去ユニットの出力に結合される、請求項１６に記載の装置。
【請求項２０】
第２のセカンダリスクランブリング符号によってスクランブリングされた第２のＳＳＣチャネルセットを推定するように構成された第２のＳＳＣ推定ユニット（４８１．２．１）と；
前記推定された第２のＳＳＣチャネルセットを除去するように構成された第２のＳＳＣ除去ユニット（４８２．２．１）と；
第３のセカンダリスクランブリング符号によってスクランブリングされた第３のＳＳＣチャネルセットを推定するように構成された第３のＳＳＣ推定ユニット（４８１．３．１）と；および
前記推定された第３のＳＳＣチャネルセットを除去するように構成された第３のＳＳＣ除去ユニット（４８２．３．１）と；
を更に備える請求項１３に記載の装置。
【請求項２１】
前記第１のＳＳＣ推定ユニットは、前記第１のセカンダリスクランブリング符号によってスクランブリングされたゼロパワーチャネルのノイズパワーを推定するように構成される、請求項１３に記載の装置。
【請求項２２】
前記第１のＳＳＣチャネルセットは、少なくとも１つの擬似直交関数を備える、請求項１３に記載の装置。
【請求項２３】
装置であって、
第１のプライマリスクランブリング符号によってスクランブリングされた第１のＰＳＣチャネルセットを推定する手段（４８１．１）と；
前記推定された第１のＰＳＣチャネルセットを受信信号から除去する手段（４８２．１）と；
第１のセカンダリスクランブリング符号によってスクランブリングされた第１のＳＳＣチャネルセットを推定する手段（４８１．１．１）と、なお、前記第１のＳＳＣチャネルセットは前記第１のＰＳＣチャネルセットに対して非直交であり、前記第１のＰＳＣおよびＳＳＣチャネルセットは単一の局から送信される；および
前記推定された第１のＳＳＣチャネルセットを除去する手段（４８２．１．１）と；
を備え、
前記手段（４８１．１．１）によって前記第１のＳＳＣチャネルセットを推定することは、前記推定された第１のＰＳＣチャネルセットが前記受信信号から前記手段（４８２．１）によって除去された後に、前記受信信号から前記第１のＳＳＣチャネルセットを推定することを備え、
前記第１のＳＳＣチャネルセットを推定することは、前記第１のセカンダリスクランブリング符号によってスクランブリングされた、送信パワーを用いることなく送信された前記第１のＳＳＣチャネルセットのノイズパワーを推定することを備え、
前記装置は、前記第１のＰＳＣチャネルセットを推定すること、前記推定された第１のＰＳＣチャネルセットを除去すること、前記第１のＳＳＣチャネルセットを推定すること、および前記推定された第１のＳＳＣチャネルセットを除去すること、を通して、複数回反復する（２８０．１、２８０．２、２８０．３、２８０．４）ように構成される、
装置。
【請求項２４】
第２のプライマリスクランブリング符号によってスクランブリングされた第２のＰＳＣチャネルセットを推定する手段（４８１．２）と；
前記推定された第２のＰＳＣチャネルセットを除去する手段（４８２．２）と；
第３のプライマリスクランブリング符号によってスクランブリングされた第３のＰＳＣチャネルセットを推定する手段（４８１．３）と；および
前記推定された第３のＰＳＣチャネルセットを除去する手段（４８２．３）と；
を更に備える請求項２３に記載の装置。
【請求項２５】
命令を保存するコンピュータ可読記憶媒体であって、
前記命令は、コンピュータに、
第１のプライマリスクランブリング符号によってスクランブリングされた第１のＰＳＣチャネルセットを推定させ（６１０）；
前記推定された第１のＰＳＣチャネルセットを受信信号から除去させ（６２０）；
第１のセカンダリスクランブリング符号によってスクランブリングされた第１のＳＳＣチャネルセットを推定させ（６３０）、なお、前記第１のＳＳＣチャネルセットは前記第１のＰＳＣチャネルセットに対して非直交であり、前記第１のＰＳＣおよびＳＳＣチャネルセットは単一の局から送信される；そして
前記推定された第１のＳＳＣチャネルセットを除去させ（６４０）；
前記コンピュータによって前記第１のＳＳＣチャネルセットを推定することは、前記推定された第１のＰＳＣチャネルセットが前記受信信号から前記コンピュータによって除去された後に、前記受信信号から前記第１のＳＳＣチャネルセットを推定することを備え、
前記第１のＳＳＣチャネルセットを推定することは、前記第１のセカンダリスクランブリング符号によってスクランブリングされた、送信パワーを用いることなく送信された前記第１のＳＳＣチャネルセットのノイズパワーを推定することを備え、
前記命令はさらにコンピュータに、前記第１のＰＳＣチャネルセットを推定すること、前記推定された第１のＰＳＣチャネルセットを除去すること、前記第１のＳＳＣチャネルセットを推定すること、および前記推定された第１のＳＳＣチャネルセットを除去すること、を通して、複数回反復させる（２８０．１、２８０．２、２８０．３、２８０．４）、
コンピュータ可読記憶媒体。
【請求項２６】
コンピュータに、
第２のプライマリスクランブリング符号によってスクランブリングされた第２のＰＳＣチャネルセットを推定させ（６５０）；
前記推定された第２のＰＳＣチャネルセットを除去させ（６６０）；
第３のプライマリスクランブリング符号によってスクランブリングされた第３のＰＳＣチャネルセットを推定させ（６７０）；そして
前記推定された第３のＰＳＣチャネルセットを除去させる（６８０）；
命令、
をさらに保存する、請求項２５に記載のコンピュータ可読記憶媒体。
【発明の詳細な説明】
【関連出願】
【０００１】
本願は、「無線通信のための反復検出および除去(Iterative Detection and Cancellation for Wireless Communication)」と題され、２００６年１１月１５日に出願された米国特許出願１１／５６００６０号、および「無線通信のための連続等化および除去と連続ミニマルチ−ユーザ検出(Successive Equalization and Cancellation and Successive Mini Multi-User Detection for Wireless Communication)」”と題され、２００６年１１月１５日に提出された米国特許出願１１／５６０２０６号に関する。上記出願の内容は、それらの全体が、参照によりここに組み込まれている。
【技術分野】
【０００２】
本発明は一般的にデジタル通信に関し、特に、無線通信システムにおける干渉除去のための技術に関する。
【背景】
【０００３】
無線通信システムは、音声やパケットデータなどのような様々なタイプの通信を提供するために広く展開される。これらのシステムは、符号分割多元接続（ＣＤＭＡ）、時分割多元接続（ＴＤＭＡ）、周波数分割多元接続（ＦＤＭＡ）、あるいは、その他の多元接続技術に基づきうる。例えば、このようなシステムは、第３世代パートナーシッププロジェクト２（３ＧＰＰ２あるいは「ｃｄｍａ２０００」）、第３世代パートナーシップ（３ＧＰＰあるいは「Ｗ−ＣＤＭＡ」）、あるいはロングタームエボリューション（「ＬＴＥ」）のような規格に適合できる。
【０００４】
無線通信システムにおいて、リソースを与えられたときに、キャパシティ、または、システムが信頼性を持ってサポートすることができるユーザの数を最大化することが一般的に望ましい。ＣＤＭＡシステムにおいて、キャパシティは利用可能な符号チャネルディメンジョンによって制限されうる。これは、例えば、「プライマリ」スクランブリング符号(a “primary” scrambling code)のような、所与のスクランブリング符号(a given scrambling code)を使用してスクランブリングされるような利用可能な直交チャネライゼーション(orthogonal channelization)（例えば、ウォルシュ(Walsh)）符号の数によって決定されうる。利用可能なチャネライゼーション符号よりも多くのユーザを承認することが望まれる場合、システムは、例えば、１又は複数の「セカンダリ」スクランブリング符号を使用してスクランブリングされるような、１又は複数の非直交チャネルセットを用いうる。しかし、このような非直交チャネルセットの使用は、単一の送信機局からのチャネルディメンジョンがもはや互いに直交していないことを意味しており、システムにおけるセル内およびセル間の干渉の増大をもたらす可能性がある。
【０００５】
送信機における非直交チャネルセットの使用によってもたらされる干渉を、ＣＤＭＡ受信機において除去するための技術を提供することが望ましいだろう。
【発明の概要】
【０００６】
本開示の態様は、第１のプライマリスクランブリング符号(a first primary scrambling code)によってスクランブリングされた（スクランブルをかけられた）(scrambled)第１のＰＳＣチャネルセットを推定すること(estimating)；推定された第１のＰＳＣチャネルセットを受信信号から除去すること；第１のセカンダリスクランブリング符号によってスクランブリングされた第１のＳＳＣチャネルセットを推定すること、第１のＳＳＣチャネルセットは第１のＰＳＣチャネルセットに対して非直交であり、第１のＰＳＣおよびＳＳＣチャネルセットは単一の局から送信される；および、推定された第１のＳＳＣチャネルセットを除去すること；を備える方法を提供する。
【０００７】
本開示の別の態様は、第１のプライマリスクランブリング符号によってスクランブリングされた第１のＰＳＣチャネルセットを推定するように構成された第１のＰＳＣ推定ユニットと；推定された第１のＰＳＣチャネルセットを受信信号から除去するように構成された第１のＰＳＣ除去ユニット；第１のセカンダリスクランブリング符号によってスクランブリングされた第１のＳＳＣチャネルセットを推定するように構成された第１のＳＳＣ推定ユニット、第１のＳＳＣチャネルセットは第１のＰＳＣチャネルセットに対して非直交であり、第１のＰＳＣおよびＳＳＣチャネルセットは単一の局から送信される；および、推定された第１のＳＳＣチャネルセットを除去するように構成された第１のＳＳＣ除去ユニット；を備える装置を提供する。
【０００８】
本開示の更に別の態様は、第１のプライマリスクランブリング符号によってスクランブリングされた第１のＰＳＣチャネルセットを推定する手段；推定された第１のＰＳＣチャネルセットを受信信号から除去する手段；第１のセカンダリスクランブリング符号によってスクランブリングされた第１のＳＳＣチャネルセットを推定する手段、第１のＳＳＣチャネルセットは第１のＰＳＣチャネルセットに対して非直交であり、第１のＰＳＣおよびＳＳＣチャネルセットは単一の局から送信される；および、推定された第１のＳＳＣチャネルセットを除去する手段；を備える装置を提供する。
【０００９】
本開示の更に別の態様は、第１のプライマリスクランブリング符号によってスクランブリングされた第１のＰＳＣチャネルセットを推定すること；推定された第１のＰＳＣチャネルセットを受信信号から除去すること；第１のセカンダリスクランブリング符号によってスクランブリングされた第１のＳＳＣチャネルセットを推定すること、第１のＳＳＣチャネルセットは第１のＰＳＣチャネルセットに対して非直交であり、第１のＰＳＣおよびＳＳＣチャネルセットは単一の局から送信される；および、推定された第１のＳＳＣチャネルセットを除去すること；をコンピュータに実行させるための命令群を格納するコンピュータ可読記憶媒体を提供する。
【図面の簡単な説明】
【００１０】
【図１】図１は、本開示の技術が適用されうる無線セルラ通信システムを例示する。
【図２Ａ】図２Ａは、ＣＤＭＡシステムに従って１又は複数の基地局において実行されるダウンリンク処理の例を示す。
【図２Ｂ】図２Ｂは、図２Ａに示される局のうちの任意の局のためにベースバンド処理ユニット内で実行されうる例示的な処理を更に示す。
【図２Ｃ】図２Ｃは、図２Ａに示されるコンポジット信号から所望のユーザのデータを受信および回復するために受信機において実行されうる例示的な処理を示す。
【図２Ｄ】図２Ｄは、ユニットのための干渉除去スキームの実施を示す。
【図３】図３は、プライマリスクランブリング符号に加えて、セカンダリスクランブリング符号を利用して、追加的なチャネルを提供（accommodate）する任意の局のためのベースバンド処理の例示的な実施形態を示す。
【図４】図４は、コンポジット信号を処理するための受信機における干渉除去スキームの例示的な実施形態を示し、ここにおいて、セカンダリスクランブリング符号（ＳＳＣ）が使用される。
【図４Ａ】図４Ａは、複数のセカンダリスクランブリング符合を集合的に利用する局からの干渉を除去するための汎用スキームの例示的な実施形態を示す。
【図５】図５は、コンポジット信号を処理するための干渉除去スキームの代替の例示的な実施形態を示し、ここにおいて、１又は複数のセカンダリスクランブリング符号が使用される。
【図６】図６は、本開示にしたがう方法の例示的な実施形態を示す。
【図７Ａ】図７Ａは、本開示の原理が適用されうるＵＭＴＳに従うラジオネットワーク動作(radio network operating)の例を説明する。
【図７Ｂ】図７Ｂは、本開示の原理が適用されうるＵＭＴＳに従うラジオネットワーク動作の例を説明する。
【図７Ｃ】図７Ｃは、本開示の原理が適用されうるＵＭＴＳに従うラジオネットワーク動作の例を説明する。
【図７Ｄ】図７Ｄは、本開示の原理が適用されうるＵＭＴＳに従うラジオネットワーク動作の例を説明する。
【詳細な説明】
【００１１】
添付の図面に関連して以下に示される詳細な説明は、本発明の例示的な実施形態の説明として意図されており、本発明が実施されることができる唯一の例示的な実施形態を表すようには意図されてはいない。説明を通して使用される用語「例示的」は、「例、インスタンス、あるいは例示として役立つ」を意味しており、必ずしも、その他の例示的な実施形態よりも好適であるあるいは有利なものであると解釈されるべきではない。詳細な説明は、本発明の例示的な実施形態の十分な理解を提供することを目的とした特定の詳細を含む。本発明の例示的な実施形態が、これらの特定の詳細無しに、実施されうることは、当業者にとって明らかだろう。いくつかのインスタンスにおいて、よく知られた構造およびデバイスは、本明細書に示される例示的な実施形態の新規性を曖昧にすることを回避するために、ブロック図形態で示される。
【００１２】
本明細書および請求項の範囲において、要素が別の要素に「接続」あるいは「結合」される場合、それがその他の要素に直接的に接続あるいは結合されうるか、あるいは介在要素が存在しうるということが理解されるだろう。対照的に、要素が別の要素に「直接的に接続」あるいは「直接的に結合」されていると称される場合、介在要素は存在しない。
【００１３】
通信システムは、単一のキャリア周波数あるいは複数のキャリア周波数を使用しうる。図１に関して、無線セルラ通信システムでは、参照番号１０２Ａ乃至１０２Ｇはセルを指し、参照番号１６０Ａ乃至１６０ＧはノードＢを指し、参照番号１０６Ａ乃至１０６Ｉはユーザ機器（ＵＥ）を指す。通信チャネルは、ノードＢ１６０からＵＥ１０６への伝送のための（フォワードリンクとも称される）ダウンリンクと、ＵＥ１０６からノードＢ１６０での伝送のための（リバースリンクとも称される）アップリンクとを含む。基地局も、基地トランシーバシステム(base transceiver system)（ＢＴＳ）、アクセスポイント、あるいは基地局と称される。ＵＥ１０６はまた、アクセス局、リモート局、モバイル局、あるいは加入者局として知られている。ＵＥ１０６は、移動式あるいは据置式でありうる。各リンクは、異なる数のキャリア周波数を組み込みうる。更に、ＵＥ１０６は、無線チャネルか、例えば、光ファイバケーブルあるいは同軸ケーブルのような、有線チャネルによって通信する任意のデータデバイスでありうる。ＵＥ１０６はさらに、ＰＣカード、コンパクトフラッシュ（登録商標）、外部モデム又は内蔵モデム、あるいは無線又は有線電話を含むが、それらに限定されることはない多数のタイプのデバイスのうちの任意のものでありうる。
【００１４】
現代の通信システムは、複数のユーザが共通通信媒体にアクセスできるように設計されている。時分割多元接続（ＴＤＭＡ）と、周波数分割多元接続（ＦＤＭＡ）と、空間分割多元接続と、分極分割多元接続と、符号分割多元接続（ＣＤＭＡ）と、それら同様の多元接続技術のような、多数の多元接続技術とが当該技術分野において知られている。多元接続のコンセプトは、共通通信リンクへのマルチユーザアクセスを可能にするチャネル割当方法体系である。チャネル割当は、特定の多元接続技術に依存して様々な形態を取ることができる。例えば、ＦＤＭＡシステムでは、全周波数スペクトルは多数のより小さなサブバンドに分割され、各ユーザは通信リンクにアクセスするために独自のサブバンドを与えられる。代替的に、ＣＤＭＡシステムでは、各ユーザが常に周波数スペクトル全体を与えられるが、符号を使用することによってその伝送を区別する。
【００１５】
本開示の特定の例示的な実施形態が、Ｗ−ＣＤＭＡ規格にしたがう動作に関してこれより以下に記載されうるが、この技術がその他のデジタル通信システムに容易に適用されうることを当業者は認識するだろう。例えば、本開示の技術は、ｃｄｍａ２０００無線通信技術規格および／あるいはその他任意の通信規格に基づくシステムにも適用することができる。このような代替の例示的な実施形態が、本開示の範囲に含まれるように意図されている。
【００１６】
図２Ａは、ＣＤＭＡシステムにしたがって、１又は複数のノードＢ（あるいは基地局）において実行されるダウンリンク処理の例を示す。図２Ａは例示のみを目的として示されており、本開示の範囲を限定するものではないということが理解されるだろう。本明細書に開示される技術は、例えば、１又は複数のアップリンクのようなその他のタイプの通信リンクに容易に適用されることができ、このような代替の例示的な実施形態は、本開示の範囲に含まれるよう意図されているということが更に認識されるだろう。
【００１７】
図２Ａには、複数の局２１０．１乃至２１０．Ｎが示される。例えば、局は、セルラ通信システムにおけるセルあるいはセクタに関連付けられたノードＢあるいは基地局である。局２１０．１に関して、複数のユーザ２１０．１ａからのデータが、無線通信リンクによる伝送のために局２１０．１に提供される。局２１０．１内で、ベースバンド処理ユニット２１４．１は、ユーザ２１０．１ａからデータを受信し、当該技術分野において知られている信号処理技術にしたがって情報を処理する。例えば、Ｗ−ＣＤＭＡダウンリンクでは、ユニット２１４．１は、符号化、インタリービング、レートマッチング、チャネライゼーション、スクランブリングなどのような動作を実行しうる。本開示に関連するユニット２１４．１によって実行される特定の動作は、図２Ｂに関連して、本明細書において後に更に詳細に説明される。
【００１８】
ユニット２１４．１によるベースバンド処理の後、ベースバンド信号２１４．１ａは、ラジオ処理ユニット(radio processing unit)２１６．１に提供される。ユニット２１６．１は、例えば、ラジオ周波数(radio frequency)（ＲＦ）に対してベースバンド信号２１４．１ａのアップコンバージョンを実行し、更に、当該技術分野において知られている原理にしたがって、ＲＦ信号の信号調整および／あるいは増幅を実行しうる。ユニット２１６．１は、信号２１８．１ａとしてオーバザエア（over the air）での伝送のために、アンテナ２１８．１に結合されるラジオ信号(radio signal)２１６．１ａを生成する。図２Ａでは、局２１０．２乃至２１０．Ｎは各々、ユーザ２１０．２ａ乃至２１０．Ｎａのセットに、局２１０．１に関して説明されたものに対応する動作を実行し、ラジオ信号２１８．２ａ乃至２１８．Ｎａの生成をもたらしうる。
【００１９】
ラジオ信号２１８．１ａ乃至２１８．Ｎａの各々は、対応するラジオチャネル(radio channel)２２０．１乃至２２０．Ｎによって伝搬される。これらは、チャネル転送関数Ｈ１（ｆ）乃至ＨＮ（ｆ）によってそれぞれ特徴付けられる。ラジオチャネルは、マルチパス遅延、フェージング、その他のパス損失などのような影響をラジオ信号に導入しうることが理解されるだろう。受信機（図２Ａに図示せず）において、全てのラジオチャネルによって受信信号は、コンポジットラジオ信号２２５ａを生成するために、２２５において付加的に結合される。
【００２０】
図２Ｂは更に、図２Ａに図示される局２１０．１乃至２１０．Ｎのうちの任意の局２１０．ｎのために、ベースバンド処理ユニット２１４．ｎ内で実行されうる例示的な処理を示す。図２Ｂは、例示のみを目的として示されており、本開示の範囲を限定するものではないということが理解されるだろう。
【００２１】
図２Ｂでは、送信されるべきデータは、複数Ｌのチャネル２３０．１ａ乃至２３０．Ｌａ（あるいは、「第１のＰＳＣチャネルセット」）にマッピングされる。実施において、チャネル２３０．１ａ乃至２３０．Ｌａの各々は、例えば、Ｗ−ＣＤＭＡ規格にしたがってダウンリンクのために定義されるような、１又は複数の物理チャネルに対応しうる、また、送信している局２１０．ｎによってサービス提供されるユーザ２１０．ｎａ（図示せず）に関連付けられたデータを搬送しうる。
【００２２】
チャネル２３０．１ａを参照すると、データがベースバンドサブ処理ユニット２３０．１に提供される。これは、図２Ａに示されるユニット２１４．１によって実行される動作のサブセットを実施して(implement)、ベースバンド信号２３０．１ａを生成しうる。チャネル２３０．１ａにおけるデータは、マルチプライヤ２３２．１を使用してチャネライゼーション符号Ｃ１で多重化され、「チャネライゼーション」として知られる処理において信号２３２．１ａが生成される。ＣＤＭＡシステムでは、各チャネライゼーション符号は、その他のチャネルのチャネライゼーション符号に直交するように設計され、チャネル２３０．１ａ乃至２３０．Ｌａのためのベースバンド信号２３０．１ａ乃至２３０．１Ｌは、単一のコンポジット信号に多重化されうる。例示的な実施形態では、チャネライゼーション符号は、ウォルシュ符号あるいはウォルシュベースの直交可変拡散率（ＯＶＳＦ）符号でありうる、また、システムの仕様に依存して、実数あるいは複素数でありうる。
【００２３】
チャネライゼーションに続いて、信号２３２．１ａは、プライマリスクランブリング符号（ＰＳＣ）ＰＳＣ ｎで多重化され、「スクランブリング」として知られる処理において、信号２３４．１ａが生成される。実施において、各局２１０．ｎは別個のＰＳＣ(a distinct PSC)を割り当てられ、各局のＰＳＣは、その他の局のＰＳＣと低い相互相関特性(low cross-correlation properties)を有するように設計されうる。この形式では、全ての局からの信号を含む図２Ａの信号２２５ａのようなコンポジット信号を受信する受信機は、局２１０．ｎからの信号を、その局に割り当てられたプライマリスクランブリング符号ＰＳＣ ｎを使用して分離し（separate out）、そのチャネルに割り当てられたチャネライゼーション符号を使用して、局２１０．ｎからの複数のチャネルからチャネルを分離しうる。
【００２４】
チャネル２３０．１ａ乃至２３０．Ｌａの各々のためのスクランブリングは、局２１０．ｎに関連付けられた同じプライマリスクランブリング符号ＰＳＣ ｎを使用しうることに留意されたい。図２Ｂでは、スクランブリングされた信号２３４．１ａ乃至２３４．Ｌａが加算器２４０に提供される。これはまた、その他のチャネル２４０ａに対応する信号を加算し、コンポジット信号２４０ａを生成しうる。このようなその他のチャネル２４０ａは、例えば、チャネル２３０．１ａ乃至２３０．Ｌａのために図示されたもの以外の技術を使用して処理されうる。信号２４０ａは、例えば、局２１０．ｎの残り(rest)において実施される変調およびラジオ処理技術(modulation and radio processing techniques)を使用して、更に処理されうる。
【００２５】
図２Ｃは、図２Ａに示されるコンポジット信号２２５ａからの所望のユーザのデータを受信および回復するために受信機２５０において実行されうる例示的な処理を示す。図２Ｃは、例示のみを目的として示されており、本開示の範囲を限定するものではないということが理解されるだろう。
【００２６】
図２Ｃでは、アンテナ２５２はコンポジット信号２２５ａを受信し、この信号をラジオ処理ユニット２５４に結合する。ラジオ処理ユニット２５４は、ベースバンド処理ユニット２５６による更なる処理のために、ラジオ信号をベースバンドサンプル２５４ａに変換するための当該技術分野において知られる処理を実行しうる。ユニット２５６は、ユーザデータ２５６ａを回復するためのベースバンド動作を実行しうる。これは、所望のユーザに関連付けられた図２Ａに示されるユーザデータストリームのうちの１又は複数に対応しうる。このようなベースバンド動作は、例えば、復調(demodulation)、逆スクランブリング(de-scrambling)、逆チャネライゼーション(de-channelization)、逆インタリービング(de-interleaving)、復号(decoding)などを含みうる。
【００２７】
所望のユーザに関連付けられたデータストリームを回復するために、受信機２５０は、例えば、（その他のＰＳＣを使用してスクランブリングされた）その他の局によって送信された信号のみならず、（複数の）無線チャネルにおけるマルチパス伝搬によってもたらされる（同じＰＳＣを使用してスクランブリングされた）所望のユーザからのマルチパスコンポーネント(multipath componebts)にも起因して、コンポジット信号２２５ａに存在する実質的な干渉に直面しうる。ユニット２５６は、このような干渉の影響に対処するための干渉除去ユニット２６０を含みうる。
【００２８】
図２Ｄは、ユニット２６０のための干渉除去スキームの実施２６０．１を例示する。図２Ｄは、例示のみを目的として示されており、本開示の範囲を限定するものではないと認識されるだろう。
【００２９】
図２Ｄでは、ユニット２６０．１は、受信されたサンプル２６０ａを処理して、これらのサンプルに存在する干渉を取り除く。実施では、サンプル２６０ａは、ラジオ処理ユニット２５４によって出力されるベースバンドサンプル２５４ａから導出されうる。サンプル２６０ａは、第１の反復干渉除去ユニット２８０．１に提供される。ユニット２８０．１は、ＰＳＣ１推定ユニット２８１．１を含む。これは、ＰＳＣ１を使用してスクランブリングされた符号チャネルから受信されたサンプル２６０ａに対する寄与を推定する。例えば、実施において、ユニット２８１．１は、共通パイロットチャネル（すなわち、ＣＰＩＣＨ）のためのチャネライゼーション符号およびスクランブリング符号ＰＳＣ１のナレッジ(knowledge)を与えられて、受信されたサンプルにおけるＣＰＩＣＨに対応するサンプルを推定しうる。同様に、ＰＳＣ１によってスクランブリングされたその他の（例えば、専用）チャネルに対応するサンプルも推定されうる。例えば、逆スクランブリングおよび逆拡散(descrambling and de-spreading)は、ＰＳＣ １によってスクランブリングされたチャネルのうちの任意のもののために実行され、これらのチャネルで送信されたシンボルの推定が取得され、これらのシンボルはサンプル２６０ａに対する寄与を再構築するために逆スクランブリングおよび逆拡散されうる。実施では、推定の処理は、フィルタリング(filtering)と、等化(equalization)と、推定の品質を向上させるための当該技術分野において知られるその他の技術とを含みうる。ユニット２８１．１はＰＳＣ１のための符号チャネルに対応する推定されたサンプルの合計を出力し、この合計はその後、減算ユニット２８２．１を使用して、受信されたサンプル２６０ａから除去される。
【００３０】
ユニット２８２．１の出力は更に、ＰＳＣ２推定ユニット２８１．２に提供される。これは、ＰＳＣ２（あるいは、「第２のＰＳＣチャネルセット」）を使用してスクランブリングされた符号チャネルから、ユニット２８２．１の出力に対する寄与を推定する。ユニット２８１．２の出力は、減算ユニット２８２．２に提供される。それの出力は更に、（「第３のＰＳＣチャネルセット」を推定するために）ＰＳＣ３推定ユニット２８１．３および減算ユニット２８２．３に結合される。３つの局からのチャネルの推定および除去が図２Ｄに示されているが、任意の数の局の推定および除去が、説明される技術を使用して提供されうることが理解されるだろう。
【００３１】
干渉除去の間、例えば、推定ユニット２８１．１、２８１．２、および２８１．３のうちの任意のものあるいは全てによって計算される、所望のユーザのデータ専用のチャネルのような、対象の所望のチャネルに対応するサンプルの実行中あるいは更新された推定が、２８０．１ａに示されるようにメモリ（例えば、サンプルＲＡＭ）に格納されうる。例えば、所望のユーザのチャネルがＰＳＣ１によってスクランブリングされると仮定して、そのユーザのチャネルに対応する推定されたサンプルは、ユニット２８１．１が推定を実行している間にメモリに格納されうる。代替的に、所望のユーザのチャネルがＰＳＣ１、ＰＳＣ２、およびＰＳＣ３によってスクランブリングされた（例えば、所望のユーザが、３つの局とソフトハンドオフ通信中である）場合、そのユーザのチャネルに対応する推定されたサンプルは、ユニット２８１．１、２８１．２、および２８１．３が推定を実行している間にメモリに格納されうる。ＰＳＣ １、ＰＳＣ ２、およびＰＳＣ ３によってスクランブリングされたチャネルの干渉除去がユニット２８２．１、２８２．２、および２８２．３によってそれぞれ実行された後、メモリに格納された所望のユーザのサンプルは、２８３．１ａに示されるように、２８３．１において信号ストリームに追加し戻される（added back）。
【００３２】
第１の反復２８０．１の後、干渉除去の更なる反復がオプション的に開始しうる。例えば、干渉除去の第２の反復がユニット２８０．２において開始しうる。第２の反復の間にユニット２８０．２（図示せず）において実行される動作は、第１の反復の間にユニット２８０．１において実行される同様の動作に対応しうることが理解されるだろう。後続の反復２８０．３、２８０．４の間に、対応する動作が実行され、全４つの反復が図２Ｄに示される。
【００３３】
図２Ｄに示される除去スキームは、連続干渉除去(successive interference cancellation)（ＳＩＣ）と称されうる、すなわち、個別の局からの寄与の除去が連続して(in series)実行されるということと、ＳＩＣの複数の反復が更に連続して実行され、干渉除去を更に向上させうるということが理解されるだろう。第２の反復の間に実行された信号推定は、第１の反復の間に実行される干渉除去から利益を得ることができるので、後続の反復は、第１の反復について既に実行された除去から利益を得ることができることを、理解されるだろう。
【００３４】
簡潔にするために、図２Ｄに示される干渉除去スキームは、３つの局（例えば、基地局）から受信信号に除去を実行する。この技術が、３つの局よりも少ないあるいは多い局からの干渉を除去するために容易に提供されうることを当業者は理解するだろう。例示的な実施形態では、選ばれた３つの局は、全ての局のうちの、最も高い受信信号強度を有する３つの局に対応しうる。例示的な実施形態では、ＰＳＣ １は、最も高い受信信号強度を有する局のＰＳＣに対応し、ＰＳＣ ２は、第２の最も高い受信信号強度を有する局のＰＳＣに対応し、ＰＳＣ ３は、第３の最も高い受信信号強度を有する局のＰＳＣに対応しうる。このように、除去は一般に、最も強い干渉源をまず除去することによって開始しうる。
【００３５】
メモリから所望のユーザのサンプルを復元することは、図２Ｄに示される方法から代替として(alternatively from)実行されることが理解されるだろう。例えば、推定ユニット２８１．１、２８１．２、および２８１．３からのメモリに格納された所望のユーザのサンプルは、２８３．１において、信号に同時に追加し戻される必要がない。推定ユニット２８１．２によって提供される推定されたサンプルが、第１の反復２８０．１の間にメモリに格納される場合、信号ストリームに戻されるこれらのサンプルの復元（すなわち、加算（addition））は、第２の反復２８０．２などの間、推定ユニット２８１．２の次の反復の直前まで遅延されうる。推定されたサンプルをメモリに格納すること、および連続干渉除去のためにそれらを信号ストリームに復元することは、当該技術分野において知られており、本明細書において明確に示されるものに対する代替の例示的な実施形態が本開示の範囲に含まれるように意図されていることが、理解されるだろう。
【００３６】
当該技術分野において知られている代替のＳＩＣスキームは、図２Ｄに示されるものとは異なるアーキテクチャを採用しうることが更に理解されるだろう。本明細書に開示される技術は、このような代替的なＳＩＣスキームに容易に適用され、このような代替の例示的な実施形態は、本開示の範囲に含まれるよう意図されている。干渉除去のための技術は、本明細書において先にも参照された“Iterative Detection and Cancellation for Wireless Communication,”と題された米国特許出願１１／５６００６０号、および“Successive Equalization and Cancellation and Successive Mini Multi-User Detection for Wireless Communication,”と題された米国特許出願１１／５６０２０６号において更に説明される。
【００３７】
図２Ｂに示されるチャネライゼーションおよびスクランブリングスキームにしたがって、複数Ｌのチャネル２３０．１ａ乃至２３０．１Ｌが、互いに直交する複数Ｌのチャネライゼーション符号Ｃ１乃至ＣＬを提供することによって、信号局２１０．１によって提供されうるということが理解される。例えば、各ＰＳＣに割り当てられる最大数Ｌのチャネライゼーション符号が存在しうる。いくつかのシステムでは、局によってサポートされるチャネルの数を、このような最大数を超えて増大させ、それにより、サポートされるユーザの数を潜在的に増大させることが望ましい可能性がある。これは、１又は複数のセカンダリスクランブリング符号を導入して追加的なチャネルおよび／あるいはユーザをサポートすることによって達成されうる（例えば、“Modulation and spreading,” ３ＧＰＰ ＴＳ ２５．２１３ Ｖ５．６．０（２００５−０６）を参照）。
【００３８】
図３は、プライマリスクランブリング符号に加えてセカンダリスクランブリング符号を利用して追加的なチャネルを提供する任意の局２１０．ｎのためのベースバンド処理の例示的な実施形態を示す。
【００３９】
図３では、複数Ｋのチャネル３３０．１ａ乃至３３０．ｋａ（あるいは、「第１のＳＳＣチャネルセット」）が、図２Ｂに関して先に説明された複数Ｌのチャネル２３０．１ａ乃至２３０Ｌａと共に提供される。チャネル３３０．１ａに関して、チャネル３３０．１ａのためのデータは、ベースバンドサブ処理ユニット３３０．１に提供される。これの出力は、マルチプライヤ３３２．１を使用してチャネライゼーション符号Ｃ１で多重化され、信号３３２．１ａが生成される。チャネライゼーションの後、信号３３２．１ａは、セカンダリスクランブリング符号（ＳＳＣ）ＳＳＣ ｎ．１で多重化され、信号３３４．１ａが生成される。対応する動作がその他のチャネルの各々に対して実行され、複数の信号３３４．１ａ乃至３３４．Ｋａが生成されうる。信号３３４．１ａ乃至３３４．Ｋａと、信号２３４．１ａ乃至２３４．Ｌａと、その他のチャネル信号２４０ａとが、加算器２４０に提供される。
【００４０】
実施では、チャネル３３０．１ａ乃至３３０．Ｋａの各々が、同じセカンダリスクランブリング符号ＳＳＣ ｎ．１を使用してスクランブリングされる。Ｗ−ＣＤＭＡでは、信号局２１０．ｎは、１つのＰＳＣおよび１又は複数のＳＳＣを割り当てられうる（このうちの１つが図３に示される）。ＳＳＣが使用される場合、信号局２１０．ｎによって生成される符号チャネルは、もはや互いに直交していない可能性があるということが理解されるだろう。例えば、ＰＳＣによってスクランブリングされたチャネル２３０．１ａおよびＳＳＣによってスクランブリングされた３３０．１ａの両チャネル上で、同じチャネライゼーション符号Ｃ１が、データをチャネライゼーションするために用いられる場合、そのときは、ＰＳＣおよびＳＳＣは、一般に、ある有限相互相関(some finite cross-correlation)を有しうるので、結果として生じたスクランブリングされたシーケンスは、一般に、互いに直交していない。したがって、受信機は、その他の局からの干渉（すなわち、セル間干渉）に加えて、それにサービス提供している局によって送信されるその他のチャネルからの干渉（すなわち、セル内干渉）を経験するだろう。
【００４１】
図３において適応される、単一のＳＳＣ ｎ．１が示されているが、代替の例示的な実施形態は、サポートされるチャネルの数を更に増大させために、例えば、ＳＳＣ ｎ．２やＳＳＣ ｎ．３などのような、より多くのＳＳＣを適応させることができる、ということに注意してください。このような代替の例示的な実施形態は、本開示の範囲に含まれるよう意図されている。
【００４２】
非直交チャネル符号のセットは、本明細書において、例えば、「プライマリ」対「セカンダリ」スクランブリング符号を使用してスクランブリングされた符号を指すと理解されるだろう。またその一方で、代替の例示的な実施形態は、非直交チャネルセットのために異なる名称を用いうるということが理解されるだろう。例えば、ｃｄｍａ２０００システムにおいて、非直交チャネライゼーション符号は「擬似直交関数(quasi-orthogonal functions))」（ＱＯＦ）と呼ばれうる。本明細書および特許請求の範囲において、用語「プライマリスクランブリング符号」および「セカンダリスクランブリング符号」は、本開示のＷ−ＣＤＭＡに対する応用のみに制限されるものではなく例示的な実施形態を包含するものであり、ここにおいて、２つ以上の非直交チャネル符号セットが用いられる。このような代替の例示的な実施形態は、本開示の範囲に含まれるよう意図されている。
【００４３】
図４は、コンポジット信号を処理するための受信機における干渉除去スキームの例示的な実施形態４００を示している、なお、ここにおいて、セカンダリスクランブリング符号(a secondary scrambling code)（ＳＳＣ）が使用される。スキーム４００は、例えば、図２Ｃに関して本明細書において先に説明された受信機２５０のための干渉除去ユニット２６０において採用されうる。例示を簡略化するために、例えば、図２Ｄの２８０．１ａおよび２８３．１ａに示されるように、推定されたサンプルをメモリに格納すること、およびそれらを信号ストリームに復元することは、本明細書における図４、図４Ａ、および図５から省略されている。
【００４４】
図４では、ユニット４００は、受信されたサンプル４６０ａを処理して、これらのサンプルに存在する干渉を取り除く。実施では、サンプル４６０ａは、ラジオ処理ユニット２５４によって出力されるベースバンドサンプル２５４ａから導出されうる。ここにおいて、ラジオ処理ユニット２５４によって受信されるコンポジット信号２２５ａは、ＳＳＣを使用してスクランブリングされた１又は複数の信号を含む。サンプル４６０ａは、第１の反復干渉除去ユニット４８０．１に提供される。ユニット４８０．１は、ＰＳＣ１推定ユニット４８１．１を含む。これは、ＰＳＣ１を使用してスクランブリングされた符号チャネルから受信されたサンプル４６０ａに対する寄与の推定を計算する。ユニット４８１．１は、ＰＳＣ１のための符号チャネルに対応する推定されたサンプルの合計を出力し、この合計は、減算ユニット４８２．１を使用して、受信されたサンプル４６０ａからその後除去される。
【００４５】
ユニット４８２．１の出力は更に、ＳＳＣ１．１推定ユニット４８１．１．１に提供される。ユニット４８１．１．１は、ＳＳＣ１．１を使用してスクランブリングされた符号チャネルからユニット４８２．１の出力に対する寄与の推定を計算する。ユニット４８１．１．１は、ＳＳＣ１．１のための符号チャネルに対応する推定されたサンプルの合計を出力し、この合計はその後、減算ユニット４８２．１．１を使用して、ユニット４８２．１の出力から除去される。ユニット４８２．１．１の出力は更に、本明細書において先に説明された技術にしたがって、ＰＳＣ２およびＰＳＣ３チャネルの推定および除去のためにユニット４８１．２、４８２．２、４８１．３、および４８２．３に提供される。更に、後続の反復は、図２Ｄに関して上述されたＳＩＣ技術にしたがって実行されうる。
【００４６】
図４に示される除去スキームは、ＰＳＣチャネルセットの除去と同じ形式でＳＳＣ１．１チャネルセットの除去を効率的に処理することが理解されるだろう。追加的なＳＳＣ１．１チャネルのための追加的な推定および除去は、例えば、ユニット２６０．１に関連して、より広い計算帯域幅を相応に（correspondingly）要求し、ユニット４００によって実行される反復の総数が相応に低減されうることに留意されたい。例示的な実施形態では、３つの反復がユニット４００によって実行されうる。
【００４７】
簡略化のために、図４に示される干渉除去スキームは、単一のＳＳＣおよび３つのＰＳＣを使用してスクランブリングされた信号からの干渉を除去する。例示的な実施形態では、除去された単一のＳＳＣチャネルセットは、干渉除去を実行する受信機にサービス提供している局によって使用されるＳＳＣに対応しうる、すなわち、その他の局からのＳＳＣチャネルセットは干渉除去処理において無視されうる。更に、この技術が、明確に示されているよりも少ないあるいは多いＳＳＣおよび／あるいはＰＳＣからの干渉を除去するために容易に適用されうるということを当業者は理解するだろう。
【００４８】
本開示の例示的な実施形態では、ＳＳＣチャネルセットに存在するノイズパワーを推定する際に受信機を助けるために、ＳＳＣチャネルセットにおけるチャネルのうちの１又は複数が、ＴＸパワーを用いることなく送信されうる。例えば、図３のチャネル３３０．１ａ乃至３３０．Ｋａのうちの１つは、受信機がＳＳＣチャネルセットに関連付けられたノイズパワーを推定することができるように、パワーを用いることなく送信されうる。このようなノイズパワー推定は、例えば、図４のユニット４８１．１．１によって実行される推定における、ＭＭＳＥ等化のような特定の等化スキームにおいて使用されうるということが理解されるだろう。
【００４９】
図４Ａは、複数のセカンダリスクランブリング符号を集合的に利用して局からの干渉を除去するための汎用スキームの例示的な実施形態４００Ａを示す。
【００５０】
図４Ａでは、図４に関連して説明されるユニットに加えて、推定および除去ユニット４８１．２．１、４８２．２．１、４８１．３．１、および４８２．３．１は、ＳＳＣ２．１およびＳＳＣ３．１を使用して、チャネルスクランブリングのために提供される。これらのユニットの動作は、本開示を考慮して、当業者にとって明確になるだろう。示される例示的な実施形態では、ＳＳＣを使用してスクランブリングされたチャネルの推定および除去は、同じ局のためのＰＳＣを使用してスクランブリングされたチャネルの推定および除去が実行された直後に実行される。代替の例示的な実施形態では、推定および除去のシーケンシング（sequencing）が、代替的に実行されうる。例示的な実施形態では、スキーム４００Ａの計算帯域幅が、例えば、図２Ｄに示されるスキーム２６０．１に比べて高いとき、２つの反復がスキーム４００Ａによって実行されうる。
【００５１】
図４および図４Ａに示されるスキームはＰＳＣおよびＳＳＣのための任意の数の干渉除去ユニットを提供するために容易に変形され、このような代替の例示的な実施形態は、本開示の範囲に含まれるよう意図されていることが理解されるだろう。
【００５２】
図５は、コンポジット信号を処理するための干渉除去スキームの代替の例示的な実施形態５００を示し、ここにおいて、１又は複数のセカンダリスクランブリング符号が使用される。スキーム５００は、受信されたサンプル４６０ａを処理して、これらのサンプルに存在する干渉を取り除く。ＰＳＣ１推定ユニット５８１．１は、ＰＳＣ１チャネルセットから受信されたサンプル４６０ａに対する寄与を推定する。ＳＳＣ１．１推定ユニット５８１．１．１は、ＳＳＣ１．１チャネルセットから受信されたサンプル４６０ａに対する寄与を推定する。ユニット５８１．１および５８１．１．１は、ＰＳＣ１およびＳＳＣ１．１チャネルセットの推定値を出力し、この推定値はその後、減算ユニット５８２．１を使用して、受信されたサンプル４６０ａから除去される。
【００５３】
ユニット５８１．１および５８１．１．１がこれらの計算を並行して(in parallel)（連続して(in series)とは対照的に）効率的に実行するとき、ＳＳＣ１．１チャネルセットの推定値はＰＳＣ１チャネルセットの前の除去から利益を得ることはなく、逆もまた同様であるということが理解されるだろう。しかし、並列計算に必要とされる時間は、連続計算のために必要とされる時間に比べて低減されうるということが理解されるだろう。
【００５４】
更に、ＰＳＣ２推定ユニット５８１．２、ＳＳＣ２．１推定ユニット５８１．２．１、除去ユニット５８２．２、ＰＳＣ３推定ユニット５８１．３、ＳＳＣ３．１推定ユニット５８１．３．１および除去ユニット５８２．３が図５に示される。これらのユニットは、ＰＳＣチャネルの推定が対応するＳＳＣチャネルの推定と並列して実行されるように結合され、これらの動作は、本明細書において先に説明された原理を考慮して、当業者に対して明らかとなるだろう。
【００５５】
図５のＳＳＣ干渉除去技術に対する様々な変形が、本開示の範囲内において可能であるということが理解されるだろう。例えば、ＳＳＣチャネルは、同じ局から送信されたＰＳＣチャネルと平行して除去される必要はない。更に、２つ以上のスクランブリング符号のチャネルが、任意のステージにおいて並行に除去されうる、例えば、第１の局からのＰＳＣチャネルセットは、第１の局からの第１および第２の（あるいはそれより多くの）ＳＳＣチャネルセットと共に除去され、ここにおいて、ここにおいて、２つ以上のＳＳＣが第１の局のために使用される。
【００５６】
図６は、本開示にしたがって、方法６００の例示的な実施形態を示す。
【００５７】
図６では、ブロック６１０は、第１のプライマリスクランブリング符号によってスクランブリングされた第１のＰＳＣチャネルセットを推定することを含む。
【００５８】
ブロック６２０は、推定された第１のＰＳＣチャネルセットを受信信号から除去することを含む。
【００５９】
ブロック６３０は、第１のセカンダリスクランブリング符号によってスクランブリングされた第１のＳＳＣチャネルセットを推定することを含み、なお、第１のＳＳＣチャネルセットは第１のＰＳＣチャネルセットに非直交しており、第１のＰＳＣおよびＳＳＣチャネルセットは単一の局から送信されている。
【００６０】
ブロック６４０は、推定された第１のＳＳＣチャネルセットを除去することを含む。
【００６１】
ブロック６５０は、第２のプライマリスクランブリング符号によってスクランブリングされた第２のＰＳＣチャネルセットを推定することを含む。
【００６２】
ブロック６６０は、推定された第２のＰＳＣチャネルセットを除去することを含む。
【００６３】
ブロック６７０は、第３のプライマリスクランブリング符号によってスクランブリングされた第３のＰＳＣチャネルセットを推定することを含む。
【００６４】
ブロック６８０は、推定された第３のＰＳＣチャネルセットを除去することを含む。
【００６５】
更に、本開示の原理が適用されうるＵＭＴＳにしたがうラジオネットワーク動作の例が、図７Ａ−図７Ｄを参照して本明細書に説明される。図７Ａ−図７Ｄは、例示的な背景を示すことのみを目的としており、本開示の範囲をＵＭＴＳに従うラジオネットワーク動作に限定するものではないということに留意されたい。
【００６６】
図７Ａはラジオネットワークの例を示す。図７Ａでは、ノードＢ１１０、１１１、１１４およびラジオネットワークコントローラ１４１−１４４は、「ラジオネットワーク」、「ＲＮ」、「アクセスネットワーク」、あるいは「ＡＮ」と呼ばれるネットワークの一部である。ラジオネットワークは、ＵＭＴＳ地上ラジオアクセスネットワーク(UMTS Terrestrial Radio Access Network)（ＵＴＲＡＮ）でありうる。ＵＭＴＳ地上ラジオアクセスネットワーク（ＵＴＲＡＮ）は、ノードＢ（あるいは基地局）と、それが含むノードＢについての制御機器（あるいは、ラジオネットワークコントローラ（ＲＮＣ）とに対する総称であり、それは、ＵＭＴＳラジオアクセスネットワークを構成する。これは、リアルタイム回路交換式およびＩＰベースのパケット交換式のトラフィックタイプの両方を搬送できる３Ｇ通信ネットワークである。ＵＴＲＡＮは、ユーザ機器（ＵＥ）１２３−１２７のためのエアインタフェースアクセス方法を提供する。接続性が、ＵＴＲＡＮによってＵＥとコアネットワークとの間に提供される。ラジオネットワークは、複数のユーザ機器デバイス１２３−１２７間でデータパケットをトランスポートしうる。
【００６７】
ＵＴＲＡＮは、４つのインタフェース、Ｉｕ、Ｕｕ、Ｉｕｂ、およびＩｕｒによってその他の機能エンティティに内面的あるいは外面的に接続される。ＵＴＲＡＮは、Ｉｕと呼ばれる外部インタフェースによってＧＳＭ（登録商標）コアネットワーク１２１に取り付けられる。（図７Ｂに示される）ラジオネットワークコントローラ（ＲＮＣ）１４１−１４４がこのインタフェースをサポートする。これらのうちの１４１、１４２は、図７Ａに示されている。それに加えて、ＲＮＣは、Ｉｕｂとラベルされたインタフェースを介して、ノードＢと呼ばれる基地局のセットを管理する。Ｉｕｒインタフェースは、２つのＲＮＣ１４１、１４２を互いに接続させる。ＵＴＲＡＮは、ＲＮＣ１４１−１４４がＩｕｒインタフェースによって相互接続しているので、コアネットワーク１２１から大部分が自立している。図７Ａは、ＲＮＣと、ノードＢと、ＩｕおよびＵｕインタフェースとを使用する通信システムを開示する。Ｕｕはまた、外側にあり、ノードＢをＵＥと接続するが、ＩｕｂはＲＮＣをノードＢと接続する内部インタフェースである。
【００６８】
ラジオネットワークは更に、企業イントラネット、インターネット、あるいは上述されたような従来の公衆交換電話ネットワークのようなラジオネットワークの外部の追加的なネットワークに接続され、各ユーザ機器デバイス１２３−１２７と、このような外部ネットワークとの間でデータパケットをトランスポートしうる。
【００６９】
図７Ｂは、通信ネットワーク１００Ｂの選択されたコンポーネントを示す。これは、ノードＢ（あるいは、基地局または無線基地トランシーバ局）１１０、１１１、および１１４に結合されたラジオネットワークコントローラ（ＲＮＣ）（あるいは、基地局コントローラ（ＢＳＣ））１４１−１４４を含む。ノードＢ１１０、１１１、１１４は、対応する無線通信１５５、１６７、１８２、１９２、１９３、１９４を介してユーザ機器（あるいは、リモート局）１２３−１２７と通信する。ＲＮＣ１４１−１４４は、１又は複数のノードＢのための制御機能を提供する。ラジオネットワークコントローラ１４１−１４４は、モバイル交換センター（ＭＳＣ）１５１、１５２を介して公衆交換電話ネットワーク（ＰＳＴＮ）１４８に結合される。別の例では、ラジオネットワークコントローラ１４１−１４４は、パケットデータ・サーバノード（「ＰＤＳＮ」）（図示せず）を介してパケット交換ネットワーク（ＰＳＮ）（図示せず）に結合される。ラジオネットワークコントローラ１４１−１４４およびパケットデータ・サーバノードのような様々なネットワーク要素間のデータ交換が、例えば、インターネットプロトコル（「ＩＰ」）、非同期転送モード（「ＡＴＭ」）プロトコル、Ｔ１、Ｅ１、フレームリレー、およびその他のプロトコルのような任意の数のプロトコルを使用して実施されうる。
【００７０】
ＲＮＣは複数の役割を果たす。第１に、ノードＢを使用しようとしている新たなモバイルあるいはサービスの承認を制御しうる。第２に、ノードＢ、あるいは基地局の観点から、ＲＮＣは制御しているＲＮＣである。承認を制御することは、ネットワークが有している利用可能なものが何であるかに合致して、モバイルが、ラジオリソース(radio resources)（帯域幅および信号／ノイズ比）を割り当てられることを確実にする。ここで、ノードＢのＩｕｂインタフェースは終了する。ＵＥ、あるいはモバイルの観点から、ＲＮＣは、サービス提供しているＲＮＣとして動作し、そこにおいて、それはモバイルのリンクレイヤ通信を終了させる。コアネットワークの観点から、サービス提供しているＲＮＣはＵＥのためのＩｕを終了させる。サービス提供しているＲＮＣはまた、Ｉｕインタフェースを介してコアネットワークを使用しようとしている新たなモバイルあるいはサービスの承認を制御する。
【００７１】
エアインタフェースに関して、ＵＭＴＳは、広帯域符号分割多元接続（あるいは、Ｗ−ＣＤＭＡ）として知られる広帯域拡散スペクトルモバイル・エアインタフェースを通常使用する。Ｗ−ＣＤＭＡは、直接シーケンス符号分割多元接続シグナリング方法（あるいはＣＤＭＡ）を使用してユーザを分離する。Ｗ−ＣＤＭＡ（広帯域符号分割多元接続）は、モバイル通信のための第３世代規格である。ＧＳＭ（グローバル・システム・フォー・モバイル・コミュニケーション）／ＧＰＲＳから発展したＷ−ＣＤＭＡは、第２世代規格である。これは、制限されたデータ・ケイパビリティでの音声通信に向けられている。Ｗ−ＣＤＭＡの第１の商業的な展開は、Ｗ−ＣＤＭＡリリース９９と呼ばれる規格のバージョンに基づく。
【００７２】
リリース９９の仕様は、アップリンクパケットデータを可能にする２つの技術を定義する。通常、データ伝送は、専用チャネル（ＣＤＨ）あるいはランダムアクセスチャネル（ＲＡＣＨ）の何れかを使用してサポートされる。しかし、ＤＣＨは、パケットデータサービスのサポートのためのプライマリチャネルである。各リモート局１２３−１２７は、直交可変拡散率（ＯＶＳＦ）符号を使用する。ＯＶＳＦ符号は、当業者によって理解されるように、個別の通信チャネルを独自に識別することを容易にする直交符号である。それに加えて、マイクロダイバーシティが、ソフトハンドオーバを使用してサポートされ、閉ループパワー制御がＤＣＨと共に用いられる。
【００７３】
擬似ランダムノイズ（ＰＮ）シーケンスは通常、送信されたパイロット信号を含む送信されたデータを拡散するために、ＣＤＭＡシステムにおいて使用される。ＰＮシーケンスの単一の値を送信するのに必要とされる時間はチップとして知られ、このチップが変化するレートはチップレートとして知られる。直接シーケンスＣＤＭＡシステムの設計においては固有なものは、受信機が、そのＰＮシーケンスを、ノードＢ１１０、１１１、１１４のものに対して調整する(align)という要件（requirement）である。Ｗ−ＣＤＭＡ規格によって定義されるもののような、いくつかのシステムは、プライマリスクランブリング符号として知られる各々のための独自のＰＮ符号を使用して、基地局１１０、１１１、１１４を差別化する。Ｗ−ＣＤＭＡ規格は、ダウンリンクをスクランブリングするための２つのゴールド符号シーケンスを定義し、そのうちの１つは同相コンポーネント（Ｉ）のためのものであり、もう一方は直角位相（Ｑ）のためのものである。ＩおよびＱ ＰＮシーケンスは、データ変調なしでセルを介して一緒にブロードキャストされる。このブロードキャストは、共通パイロットチャネル（ＣＰＩＣＨ）と称される。生成されたＰＮシーケンスは、３８４００チップの長さまで切り捨てられる。３４８００チップの期間は、ラジオフレームと称される。各ラジオフレームは、スロットと称される１５個の等しいセクションに分割される。Ｗ−ＣＤＭＡノードＢ １１０、１１１、１１４は、互いに関して同時に動作するので、１つの基地局１１０、１１１、１１４のフレームタイミングのナレッジが、その他任意のノードＢ １１０、１１、１１４のフレームタイミングのナレッジになる(translate into)ことはない。このナレッジを獲得するために、Ｗ−ＣＤＭＡシステムは同期チャネルおよびセルサーチ技術を使用する。
【００７４】
３ＧＰＰリリース５およびそれ以降のものは、高速ダウンリンクパケットアクセス（ＨＳＤＰＡ）をサポートする。３ＧＰＰリリース６およびそれ以降のものは、高速アップリンクパケットアクセス（ＨＳＵＰＡ）をサポートする。ＨＳＤＰＡおよびＨＳＵＰＡは、ダウンリンクおよびアップリンクそれぞれでの高速パケットデータ伝送を可能にするチャネルおよび手順のセットである。リリース７ＨＳＰＡ＋は、３つのエンハンスメントを使用してデータレートを向上させる。第１に、これは、ダウンリンクでの２×２ＭＩＭＯのためのサポートを導入した。ＭＩＭＯでは、ダウンリンクでサポートされるピークデータレートは２８Ｍｂｐｓである。第２に、より高次の変調が、ダウンリンクで導入された。ダウンリンクでの６４ＱＡＭの使用が、２１Ｍｂｐｓのピークデータレートを可能にする。第３に、より高次の変調がアップリンクで導入された。アップリンクでの１６ＱＡＭの使用が、１１Ｍｂｐｓのピークデータレートを可能にする。
【００７５】
ＨＳＵＰＡにおいて、ノードＢ １１０、１１１、１１４は、いくつかのユーザ機器デバイス１２３−１２７が同時に特定のパワーレベルで送信することを許可する(allows)。これらの許可(grants)は、短期ベースで（数十ミリ秒毎に）リソースを割り当てる高速スケジューリングアルゴリズムを使用することによって、ユーザに割り当てられる。ＨＳＵＰＡの迅速なスケジューリングは、パケットデータのバーストな性質に適している。ハイアクティビティ(high activity)の期間中、ユーザは、より多くのパーセンテージの利用可能なリソースを確保しうるが、その一方で、ローアクティビティ期間中は帯域幅をほとんどあるいは全く確保できない可能性がある。
【００７６】
３ＧＰＰリリース５ＨＳＤＰＡにおいて、アクセスネットワークの基地トランシーバ局１１０、１１１、１１４は、高速ダウンリンク共有チャネル（ＨＳ−ＤＳＣＨ）でユーザ機器デバイス１２３−１２７にダウンリンク・ペイロードデータを送り、高速共有制御チャネル（ＨＳ−ＳＣＣＨ）でダウンリンクデータに関連付けられた制御情報を送りうる。データ伝送のために使用される２５６個の直交可変拡散率（ＯＶＳＦ又はウォルシュ）符号が存在する。ＨＳＤＰＡシステムにおいて、これらの符号は、セルラ電話通信（音声）のために通常使用されるリリース１９９９（レガシシステム）符号と、データサービスのために使用されるＨＳＤＰＡ符号とに分割される。伝送時間インターバル（ＴＴＩ）毎に、ＨＳＤＰＡ使用可能なユーザ機器デバイス１２３−１２７に送られた専用制御情報は、符号空間内のどの符号がデバイスにダウンリンク・ペイロードデータを送るために使用されるのかと、ダウンリンク・ペイロードデータの伝送のために使用される変調とをデバイス対して示しうる。
【００７７】
ＨＳＤＰＡ動作では、ユーザ機器デバイス１２３−１２７に対するダウンリンク伝送は、１５個の利用可能なＨＳＤＰＡ ＯＶＳＦ符号を使用して、異なる伝送時間インターバルに対してスケジューリングされうる。所与のＴＴＩでは、各ユーザ機器デバイス１２３−１２７が、ＴＴＩの間、デバイスに割り当てられるダウンリンク帯域幅に依存して、１５個のＨＳＤＰＡ符号のうちの１又は複数を使用中でありうる。すでに上述されたように、ＴＴＩ毎に、制御情報は、符号空間内のどの符号がデバイスにダウンリンク・ペイロードデータ（ラジオネットワークの制御データ以外のデータ）を送るために使用されるのかを、ユーザ機器デバイス１２３−１２７に対して示す。
【００７８】
ＭＩＭＯシステムにおいて、送信および受信アンテナからのＮ（送信機アンテナの数）×Ｍ（受信機アンテナの数）個の信号パスが存在し、これらのパス上の信号は同一ではない。ＭＩＭＯは複数のデータ伝送パイプを生成する。パイプは時空間領域において直交している。パイプの数はシステムのランクに等しい。これらのパイプは、時空間領域において直交しているので、互いに対する干渉をほとんど引き起こさない。データパイプは、Ｎ×Ｍ個のパスで信号を適切に結合させることによって、適切なデジタル信号処理を用いて実現される。伝送パイプは、アンテナ伝送チェインあるいは任意の１つの特定の伝送パスに対応しないということが留意される。
【００７９】
通信システムは、単一のキャリア周波数あるいは複数のキャリア周波数を使用しうる。各リンクは異なる数のキャリア周波数を組み込みうる。更に、アクセス端末１２３−１２７は、無線チャネルによって、あるいは、例えば、光ファイバー又は同軸ケーブルを使用して有線チャネルによって通信する任意のデータデバイスでありうる。アクセス端末１２３−１２７は、ＰＣカード、コンパクトフラッシュ、外部又は内蔵モデム、あるいは無線又は有線電話を含むが、それらに限定はされない多数のタイプのデバイスのうちの任意のものでありうる。アクセス端末１２３−１２７は、ユーザ機器（ＵＥ）、リモート局、モバイル局あるいは加入者局としても知られる。更に、ＵＥ１２３−１２７は、移動式あるいは据置式でありうる。
【００８０】
１又は複数のノードＢ１１０、１１１、１１４とのアクティブトラフィックチャネルを確立したユーザ機器１２３−１２７は、アクティブユーザ機器１２３−１２７と呼ばれ、トラフィック状態にあると見なされる。１又は複数のノードＢ１１０、１１１、１１４とのアクティブトラフィックチャネル接続を確立する処理中のユーザ機器１２３−１２７は、接続セットアップ状態にあると見なされる。ユーザ機器１２３−１２７は、無線チャネルによって、あるいは、例えば、光ファイバー又は同軸ケーブルを使用して有線チャネルによって通信する任意のデータデバイスでありうる。ユーザ機器１２３−１２７がノードＢ１１０、１１１、１１４に信号を送るための通信リンクはアップリンクと呼ばれる。ノードＢ１１０、１１１、１１４がユーザ機器１２３−１２７に信号を送るための通信リンクはダウンリンクと呼ばれる。
【００８１】
図７が以下に詳細に説明されうる。ここにおいて、特に、ノードＢ１１０、１１１、１１４およびラジオネットワークコントローラ１４１−１４４は、パケットネットワーク・インタフェース１４６とインタフェースする（図７Ｃにおいて、ノードＢ１１０、１１１、１１４が、簡略化のために１つだけ示されることに留意されたい）。ノードＢ１１０、１１１、１１４およびラジオネットワークコントローラ１４１−１４４は、１又は複数のノードＢ１１０、１１１、１１４およびラジオネットワークコントローラ１４１−１４４を囲む点線のように、図７Ａおよび図７Ｃにおいて示されるラジオネットワークサーバ（ＲＮＳ）６６の一部でありうる。送信される関連付けられた量のデータは、ノードＢ１１０、１１１、１１４におけるデータキュー１７２から取り出され、データキュー１７２に関連付けられたユーザ機器１２３−１２７（図７Ｃに図示せず）への伝送のためにチャネル要素１６８に提供される。
【００８２】
ラジオネットワークコントローラ１４１−１４４は、モバイル交換センター１５１、１５２を介して、公衆交換電話ネットワーク（ＰＳＴＮ）１４８とインタフェースする。更に、ラジオネットワークコントローラ１４１−１４４は、通信システム１００ＢにおいてノードＢ１１０、１１１、１１４とインタフェースする。それに加えて、ラジオネットワークコントローラ１４１−１４４は、パケットネットワーク・インタフェース１４６とインタフェースする。ラジオネットワークコントローラ１４１−１４４は、通信システムにおけるユーザ機器１２３−１２７と、パケットネットワーク・インタフェース１４６およびＰＳＴＮ１４８に接続されたその他のユーザとの間の通信を調整する。ＰＳＴＮ１４８は、標準電話ネットワークを介してユーザとインタフェースする（図７に図示せず）。
【００８３】
簡略化のために、図７に図示されているのは１つのみであるが、ラジオネットワークコントローラ１４１−１４４は、多くのセレクタ要素１３６を含む。各セレクタ要素１３６は、１又は複数のノードＢ１１０、１１１、１１４と１つのリモート局１２３−１２７（図示せず）との間の通信を制御するように割り当てられる。セレクタ要素１３６が所与のユーザ機器１２３−１２７に割り当てられていない場合、コール制御プロセッサ１４０は、ユーザ機器１２３−１２７をページする必要性を知らされる。コール制御プロセッサ１４０はその後、ユーザ機器１２３−１２７をページするようノードＢ１１０、１１１、１１４に指示する。
【００８４】
データソース１２２は多量のデータを含み、これは、所与のユーザ機器１２３−１２７に送信されるものである。データソース１２２は、パケットネットワーク・インタフェース１４６にデータを提供する。パケットネットワーク・インタフェース１４６はデータを受信し、データをセレクタ要素１３６にルーティングする。セレクタ要素１３６はその後、ターゲットユーザ機器１２３−１２７と通信しているノードＢ １１０、１１１、１１４にデータを送信する。例示的な実施形態では、各ノードＢ １１０、１１１、１１４はデータキュー１７２を保持する。これは、ユーザ機器１２３−１２７に送信されるデータを格納する。
【００８５】
データパケット毎に、チャネル要素１６８は、制御フィールドを挿入する。例示的な実施形態では、チャネル要素１６８は、巡回冗長チェック（ＣＲＣ）と、データパケットおよび制御フィールドの符号化とを実行し、符合テールビットのセットを挿入する。データパケットと、制御フィールドと、ＣＲＣパリティビットと、符号テールビット（code tail bit）とは、フォーマットされたパケットを備える。例示的な実施形態では、チャネル要素１６８はその後、フォーマットされたパケットを符号化し、符号化されたパケット内にシンボルをインタリーブする（あるいは、順序付けし直す（reorder））。例示的な実施形態では、インタリーブされたパケットは、ウォルシュ符号を用いてカバーされ、短いＰＮＩおよびＰＮＱ符号を用いて拡散される。拡散されたデータは、信号を直交変調、フィルタ、および増幅するＲＦユニット１７０に提供される。ダウンリンク信号は、オーバザエアでアンテナを経由して、ダウンリンクへと送信される。
【００８６】
ユーザ機器１２３−１２７において、ダウンリンク信号は、アンテナによって受信され、受信機にルーティングされる。受信機は、信号をフィルタ、増幅、直交変調、および量子化する。デジタル化された信号は、復調器に提供され、そこで、そのデジタル化された信号は、短いＰＮＩおよびＰＮＱ符号を用いて逆拡散され(despread)、ウォルシュカバーを用いてデカバーされる（decovered）。復調されたデータは、ノードＢ１１０、１１１、１１４においてなされる信号処理機能、特に、デインタリービング、復号、およびＣＲＣチェック機能の逆を実行する復号器に提供される。復号されたデータは、データシンクに提供される。
【００８７】
図７Ｄは、ユーザ機器（ＵＥ）１２３−１２７が、（ＰＡ１０８を含む）送信回路１６４と、受信回路１０９と、パワーコントローラ１０７と、復号プロセッサ１５８と、処理ユニット１０３と、メモリ１１６とを含むＵＥ１２３−１２７の実施形態を示す。
【００８８】
処理ユニット１０３は、ＵＥ１２３−１２７の動作を制御する。処理ユニット１０３は、ＣＰＵとも称されうる。読取専用メモリ（ＲＯＭ）およびランダムアクセスメモリ（ＲＡＭ）の両方を含みうるメモリ１１６は、処理ユニット１０３に命令群およびデータを提供する。メモリ１１６の一部分はまた、非揮発性のランダムアクセスメモリ（ＮＶＲＡＭ）を含みうる。
【００８９】
セルラ電話のような無線通信デバイスに組み込まれうるＵＥ１２３−１２７はまた、ＵＥ１２３−１２７とリモートロケーションとの間のオーディオ通信のような、データの送信および受信を可能にするための送信回路１６４および受信回路１０９を含むハウジングを含みうる。送信回路１６４および受信回路１０９は、アンテナ１１８に結合されうる。
【００９０】
ＵＥ１２３−１２７の様々なコンポーネントが、データバスに加えて、パワーバスと、制御信号バスと、状態信号バスとを含みうるバスシステム１３０によって一緒に結合される。しかし、明確性のために、これらの様々なバスは、バスシステム１３０として図７Ｄに示される。ＵＥ１２３−１２７はまた、信号を処理するために使用する処理ユニット１０３を含みうる。更に、パワーコントローラ１０７と、復号プロセッサ１５８と、パワー増幅器１０８とが示される。
【００９１】
説明される方法のステップはまた、図７Ｃに示されるような、ノードＢ１１０、１１１、１１４におけるメモリ１６１内に位置するソフトウェアあるいはファームウェア４３の形態で、命令群として格納されうる。これらの命令群は、図７ＣにおけるノードＢ１１０、１１１、１１４の制御ユニット１６２によって実行されうる。代替的に、あるいはそれと併せて、説明された方法のステップが、ＵＥ１２３−１２７におけるメモリ１１６内に位置するソフトウェアあるいはファームウェア４２の形態で、命令群として格納されうる。これらの命令群は、図７ＤのＵＥ１２３−１２７の処理ユニット１０３によって実行されうる。
【００９２】
情報および信号が、様々な異なる技術および技法のうちの任意のものを使用して表されうることを当業者は理解するだろう。例えば、上記にわたって参照されうるデータ、命令群、コマンド、情報、信号、ビット、シンボル、およびチップは、電圧、電流、電磁波、磁気フィールド又は磁気粒子、光学フィールド又は光学粒子、あるいはそれら任意の組合せによって表されうる。
【００９３】
当業者は更に、本明細書に開示される例示的な実施形態に関連付けて説明された様々な例示的な論理ブロック、モジュール、回路、およびアルゴリズムステップは、電気ハードウェア、コンピュータソフトウェア、あるいはこれら両方の組み合わせとして実施されうるということを理解するだろう。このハードウェアおよびソフトウェアの互換性を明確に例示するために、多様な例示的な構成要素、ブロック、モジュール、回路、およびステップが、一般にそれらの機能の観点から上記で説明されている。そのような機能がハードウェアあるいはソフトウェアのどちらとして実現されるかは、システム全体に課せられている特定のアプリケーションおよび設計の制約に依存する。当業者は、各特定のアプリケーションのために方式を変化させて、説明された機能性を実施しうるが、こういった実施の決定は本発明の例示的な実施形態の範囲からの逸脱をまねくものと解釈されるべきではない。
【００９４】
本明細書に開示される例示的な実施形態に関連付けて説明された多様な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）あるいはその他のプログラマブル論理デバイス、離散ゲートもしくはトランジスタ論理、離散ハードウェアコンポーネント、あるいは本明細書において説明された機能を実行するために設計された、それら任意の組合せで実施あるいは実行されうる。汎用プロセッサは、マイクロプロセッサでありうるが、代替例として、任意の従来型のプロセッサ、コントローラ、マイクロコントローラ、あるいはステートマシンでありうる。プロセッサはまた、例えば、ＤＳＰとマイクロプロセッサの組み合わせ、複数のマイクロプロセッサ、ＤＳＰコアと連結した１又は複数のマイクロプロセッサ、もしくはその他任意のこのような構成のような、コンピューティングデバイスの組み合わせとして、実現されうる。
【００９５】
本明細書に開示される例示的な実施形態に関連付けて説明された方法あるいはアルゴリズムのステップは、直接的にハードウェアにおいてか、プロセッサによって実行されるソフトウェアモジュールにおいてか、あるいはそれら２つの組み合わせにおいて実現されうる。ソフトウェアモジュールは、ランダムアクセスメモリ（ＲＡＭ）、フラッシュメモリ、読取専用メモリ（ＲＯＭ）、電子的プログラマブルＲＯＭ（ＥＰＲＯＭ）、電子的消去可能プログラマブル（ＲＯＭ）ＥＥＰＲＯＭ、レジスタ、ハードディスク、リムーバブルディスク、ＣＤ−ＲＯＭ、あるいは当該技術分野において知れられているその他任意の形態の記憶媒体に存在しうる。 例示的な記憶媒体は、記憶媒体から情報を読み取り、かつそれに情報を書き込むことができるプロセッサのようなプロセッサと結合される。代替例においては、記憶媒体はプロセッサに統合されうる。プロセッサ及び記憶媒体はＡＳＩＣ内に存在しうる。ＡＳＩＣはユーザ端末内に存在しうる。代替例においては、プロセッサおよび記憶媒体は離散的なコンポーネントとしてユーザ端末内に存在しうる。
【００９６】
１又は複数の例示的な実施形態において、説明される機能は、ハードウェア、ソフトウェア、ファームウェア、あるいはそれら任意の組み合わせで実現されうる。ソフトウェアにおいて実現される場合、機能は、１又は複数の命令群あるいはコードとして、コンピュータ読取可能媒体に記憶されうる、もしくはそれによって送信されうる。コンピュータ読取可能媒体は、コンピュータ記憶媒体と、ある場所から別の場所へのコンピュータプログラムの伝達を容易にする任意の媒体を含む通信媒体との両方を含む。記憶媒体は、コンピュータによってアクセスされうる任意の利用可能な媒体である。限定ではなく例として、このようなコンピュータ読取可能媒体は、ＲＡＭや、ＲＯＭや、ＥＥＰＲＯＭや、ＣＤ−ＲＯＭもしくはその他の光学ディスク記憶装置や、磁気ディスク記憶装置もしくはその他の磁気記憶デバイスや、あるいは命令群もしくはデータ構造の形態で希望のプログラムコードを搬送もしくは記憶するために使用されうる、又は、コンピュータによってアクセスされうる、その他任意の媒体を備えうる。更に、任意のコネクションが、コンピュータ読取可能媒体と適切に称される。例えば、同軸ケーブルや、光ファイバケーブルや、ツイストペアや、デジタル加入者回線（ＤＳＬ）や、あるいは、赤外線、ラジオ、及びマイクロ波のような無線技術を使用して、ウェブサイト、サーバ、あるいはその他の遠隔ソースからソフトウェアが送信される場合、同軸ケーブルや、光ファイバケーブルや、ツイストペアや、ＤＳＬや、あるいは赤外線、ラジオ、及びマイクロ波のような無線技術は、媒体の定義に含まれる。本明細書で使用されるようなディスク（ｄｉｓｋ）及びディスク（ｄｉｓｃ）は、コンパクトディスク（ＣＤ）（ｄｉｓｃ）、レーザディスク（ｄｉｓｃ）、光学ディスク、デジタルバーサタイルディスク（ＤＶＤ）（ｄｉｓｋ）、フロッピー（登録商標）ディスク（ｄｉｓｋ）及びブルーレイ（登録商標）ディスク（ｄｉｓｃ）を含む。ここで、ディスク（ｄｉｓｋ）は通常データを磁気的に再生するが、ディスク（ｄｉｓｃ）はレーザを用いてデータを光学的に再生する。上記のものによる組合せも、コンピュータ可読媒体の範囲内に含まれるべきである。
【００９７】
開示された例示的な実施形態に関する以上の説明は、当業者が本発明を製造あるいは使用できるように提供される。これらの例示的な実施形態に対する様々な変形例が当業者に対して容易に明らかになるだろう。        また本明細書で規定された一般的原理は、本発明の精神あるいは範囲から逸脱することなくその他の例示的な実施形態に適用されうる。よって、本発明は、本明細書に示される例示的な実施形態に限定されるように意図されたものではなく、本明細書において開示された原理および新規の特徴と矛盾しない最大範囲であると認められるべきである。
以下に、本願出願の当初の特許請求の範囲に記載された発明を付記する。
［Ｃ１］  第１のプライマリスクランブリング符号によってスクランブリングされた第１のＰＳＣチャネルセットを推定する（６１０）こと；
前記推定された第１のＰＳＣチャネルセットを受信信号から除去する（６２０）こと；
第１のセカンダリスクランブリング符号によってスクランブリングされた第１のＳＳＣチャネルセットを推定する（６３０）こと、なお、前記第１のＳＳＣチャネルセットは前記第１のＰＳＣチャネルセットに対して非直交であり、前記ＰＳＣおよびＳＳＣチャネルセットは単一の局から送信される；および
前記推定された第１のＳＳＣチャネルセットを除去する（６４０）こと；
を備える方法。
［Ｃ２］  前記第１のＰＳＣチャネルセットは、パイロットチャネルおよび専用チャネルを備える、Ｃ１に記載の方法。
［Ｃ３］  前記推定された第１のＳＳＣチャネルセットを除去することは、前記推定された第１のＳＳＣチャネルセットを、前記推定された第１のＰＳＣチャネルセットを前記受信信号から除去することの結果から、除去することを備える、Ｃ１に記載の方法。
［Ｃ４］  前記推定された第１のＳＳＣチャネルセットを除去することは、前記推定された第１のＳＳＣチャネルセットを前記受信信号から除去することを備える、Ｃ１に記載の方法。
［Ｃ５］  第２のプライマリスクランブリング符号によってスクランブリングされた第２のＰＳＣチャネルセットを推定する（６５０）こと；
前記推定された第２のＰＳＣチャネルセットを除去する（６６０）こと；
第３のプライマリスクランブリング符号によってスクランブリングされた第３のＰＳＣチャネルセットを推定する（６７０）こと；および
前記推定された第３のＰＳＣチャネルセットを除去する（６８０）こと；
を更に備えるＣ１に記載の方法。
［Ｃ６］  前記推定された第１のＰＳＣチャネルセットを除去することは、前記第２のＰＳＣチャネルセットを推定することの前に実行され、前記第２のＰＳＣチャネルセットを除去することは、前記第３のＰＳＣチャネルセットを推定することの前に実行される、Ｃ５に記載の方法。
［Ｃ７］  前記第１のＰＳＣチャネルセットは最も高い受信信号強度を有し、前記第２のＰＳＣチャネルセットは２番目に最も高い受信信号強度を有し、前記第３のＰＳＣチャネルセットは３番目に最も高い受信信号強度を有する、Ｃ６に記載の方法。
［Ｃ８］  前記第１のＰＳＣチャネルセットを除去することは、前記第１のＳＳＣチャネルセットを推定することの前に実行され、前記第１のＳＳＣチャネルセットを除去することは、前記第２のＰＳＣチャネルセットを推定する前に実行される、Ｃ１に記載の方法。
［Ｃ９］  前記第１のＳＳＣチャネルセットを推定することは、前記推定された第１のＰＳＣチャネルセットが前記受信信号から除去された後に、前記受信信号から前記第１のＳＳＣチャネルセットを推定することを備える、Ｃ１に記載の方法。
［Ｃ１０］  前記第１のＰＳＣチャネルセットを推定すること、前記推定された第１のＰＳＣチャネルセットを除去すること、前記第１のＳＳＣチャネルセットを推定すること、および前記推定された第１のＳＳＣチャネルセットを除去すること、を通して、複数回反復する（２８０．１、２８０．２、２８０．３、２８０．４）こと、を更に備えるＣ９に記載の方法。
［Ｃ１１］  第２のセカンダリスクランブリング符号によってスクランブリングされた第２のＳＳＣチャネルセットを推定する（４８１．２．１）こと；
前記推定された第２のＳＳＣチャネルセットを除去する（４８２．２．１）こと；
第３のセカンダリスクランブリング符号によってスクランブリングされた第３のＳＳＣチャネルセットを推定する（４８１．３．１）こと；および
前記推定された第３のＳＳＣチャネルセットを除去する（４８２．３．１）こと；
を更に備えるＣ１に記載の方法。
［Ｃ１２］  前記第１のＳＳＣチャネルセットを推定することは、前記第１のセカンダリスクランブリング符号によってスクランブリングされたゼロパワーチャネルのノイズパワーを推定することを備える、Ｃ１に記載の方法。
［Ｃ１３］  前記第１のＳＳＣチャネルセットは、少なくとも１つの擬似直交関数を備えるＣ１に記載の方法。
［Ｃ１４］  前記第１のＰＳＣチャネルセットを推定することは、前記ＰＳＣチャネルセットのうちの少なくとも１つのチャネルを逆拡散および逆スクランブリングすることと、前記逆拡散および逆スクランブリングされたシンボルを等化することとを備える、Ｃ１に記載の方法。
［Ｃ１５］  第１のプライマリスクランブリング符号によってスクランブリングされた第１のＰＳＣチャネルセットを推定するように構成された第１のＰＳＣ推定ユニット（４８１．１）と；
前記推定された第１のＰＳＣチャネルを受信信号から除去するように構成された第１のＰＳＣ除去ユニット（４８２．１）と；
第１のセカンダリスクランブリング符号によってスクランブリングされた第１のＳＳＣチャネルセットを推定するように構成された第１のＳＳＣ推定ユニット（４８１．１．１）と、なお、前記第１のＳＳＣチャネルセットは前記第１のＰＳＣチャネルセットに対して非直交であり、前記第１のＰＳＣおよびＳＳＣチャネルセットは単一の局から送信される；および
前記推定された第１のＳＳＣチャネルセットを除去するように構成された第１のＳＳＣ除去ユニット（４８２．１．１）と；
を備える装置。
［Ｃ１６］  前記第１のＰＳＣチャネルセットは、パイロットチャネルおよび専用チャネルを備える、Ｃ１５に記載の装置。
［Ｃ１７］  前記第１のＳＳＣ除去ユニットは前記第１のＰＳＣ除去ユニットの出力に結合される、Ｃ１５に記載の装置。
［Ｃ１８］  第２のプライマリスクランブリング符号によってスクランブリングされた第２のＰＳＣチャネルセットを推定するように構成された第２のＰＳＣ推定ユニット（４８１．２）と；
前記推定された第２のＰＳＣチャネルセットを前記受信信号から除去するように構成された第２のＰＳＣ除去ユニット（４８２．２）と；
第３のプライマリスクランブリング符号によってスクランブリングされた第３のＰＳＣチャネルセットを推定するように構成された第３のＰＳＣ推定ユニット（４８１．３）と；および
前記推定された第３のＰＳＣチャネルセットを前記受信信号から除去するように構成された第３のＰＳＣ除去ユニット（４８２．３）と；
を更に備えるＣ１５に記載の装置。
［Ｃ１９］  前記第２のＰＳＣ推定ユニットは前記第１のＰＳＣ除去ユニットの出力に結合され、前記第３のＰＳＣ推定ユニットは前記第２のＰＳＣ除去ユニットの出力に結合される、Ｃ１８に記載の装置。
［Ｃ２０］  前記第１のＰＳＣチャネルセットは最も高い受信信号強度を有し、前記第２のＰＳＣチャネルセットは、２番目に最も高い受信信号強度を有し、前記第３のＰＳＣチャネルセットは、３番目に最も高い受信信号強度を有する、Ｃ１９に記載の装置。
［Ｃ２１］  前記第１のＳＳＣ除去ユニットは前記第１のＰＳＣ推定ユニットの出力に結合され、前記第２のＰＳＣ推定ユニットは前記第１のＳＳＣ除去ユニットの出力に結合される、Ｃ１８に記載の装置。
［Ｃ２２］  第２のセカンダリスクランブリング符号によってスクランブリングされた第２のＳＳＣチャネルセットを推定するように構成された第２のＳＳＣ推定ユニット（４８１．２．１）と；
前記推定された第２のＳＳＣチャネルセットを除去するように構成された第２のＳＳＣ除去ユニット（４８２．２．１）と；
第３のセカンダリスクランブリング符号によってスクランブリングされた第３のＳＳＣチャネルセットを推定するように構成された第３のＳＳＣ推定ユニット（４８１．３．１）と；および
前記推定された第３のＳＳＣチャネルセットを除去するように構成された第３のＳＳＣ除去ユニット（４８２．３．１）と；
を更に備えるＣ１５に記載の装置。
［Ｃ２３］  前記第１のＳＳＣ推定ユニットは、前記第１のセカンダリスクランブリング符号によってスクランブリングされたゼロパワーチャネルのノイズパワーを推定するように構成される、Ｃ１５に記載の装置。
［Ｃ２４］  前記第１のＳＳＣチャネルセットは、少なくとも１つの擬似直交関数を備える、Ｃ１５に記載の装置。
［Ｃ２５］  第１のプライマリスクランブリング符号によってスクランブリングされた第１のＰＳＣチャネルセットを推定する手段（４８１．１）と；
前記推定された第１のＰＳＣチャネルセットを受信信号から除去する手段（４８２．１）と；
第１のセカンダリスクランブリング符号によってスクランブリングされた第１のＳＳＣチャネルセットを推定する手段（４８１．１．１）と、なお、前記第１のＳＳＣチャネルセットは前記第１のＰＳＣチャネルセットに対して非直交であり、前記第１のＰＳＣおよびＳＳＣチャネルセットは単一の局から送信される；および
前記推定された第１のＳＳＣチャネルセットを除去する手段（４８２．１．１）と；
を備える装置。
［Ｃ２６］  第２のプライマリスクランブリング符号によってスクランブリングされた第２のＰＳＣチャネルセットを推定する手段（４８１．２）と；
前記推定された第２のＰＳＣチャネルセットを除去する手段（４８２．２）と；
第３のプライマリスクランブリング符号によってスクランブリングされた第３のＰＳＣチャネルセットを推定する手段（４８１．３）と；および
前記推定された第３のＰＳＣチャネルセットを除去する手段（４８２．３）と；
を更に備えるＣ２５に記載の装置。
［Ｃ２７］  命令を保存するコンピュータ可読記憶媒体であって、
前記命令は、コンピュータに、
第１のプライマリスクランブリング符号によってスクランブリングされた第１のＰＳＣチャネルセットを推定させ（６１０）；
前記推定された第１のＰＳＣチャネルセットを受信信号から除去させ（６２０）；
第１のセカンダリスクランブリング符号によってスクランブリングされた第１のＳＳＣチャネルセットを推定させ（６３０）、なお、前記第１のＳＳＣチャネルセットは前記第１のＰＳＣチャネルセットに対して非直交であり、前記第１のＰＳＣおよびＳＳＣチャネルセットは単一の局から送信される；そして
前記推定された第１のＳＳＣチャネルセットを除去させる（６４０）；
コンピュータ可読記憶媒体。
［Ｃ２８］  コンピュータに、
第２のプライマリスクランブリング符号によってスクランブリングされた第２のＰＳＣチャネルセットを推定させ（６５０）；
前記推定された第２のＰＳＣチャネルセットを除去させ（６６０）；
第３のプライマリスクランブリング符号によってスクランブリングされた第３のＰＳＣチャネルセットを推定させ（６７０）；そして
前記推定された第３のＰＳＣチャネルセットを除去させる（６８０）；
命令、
をさらに保存する、Ｃ２７に記載のコンピュータ可読記憶媒体。
【図１】
0005596168.tif 000002
【図２Ａ】
0005596168.tif 000003
【図２Ｂ】
0005596168.tif 000004
【図２Ｃ】
0005596168.tif 000005
【図２Ｄ】
0005596168.tif 000006
【図３】
0005596168.tif 000007
【図４】
0005596168.tif 000008
【図４Ａ】
0005596168.tif 000009
【図５】
0005596168.tif 000010
【図６】
0005596168.tif 000011
【図７Ａ】
0005596168.tif 000012
【図７Ｂ】
0005596168.tif 000013
【図７Ｃ】
0005596168.tif 000014
【図７Ｄ】
0005596168.tif 000015